(57)【要約】      （修正有）【課題】装着がしやすく、実用においては外れにくく、同一の大きさの本に対しては使い廻しが利き、個人の個性に合わせた絵柄や色彩を選択して使用できる、極めてシンプルな構造で安価なブックカバーを提供する。【解決手段】横長の紙製カバーシート１の上下縁より少し内側には内向きに折り畳むための内向き折り畳み手段をそれぞれ設けると共に前記カバーシート１の左右端縁から少し内側に入った位置に前記内向きの折り畳み手段に上下端を可及的に接近させて表紙差し込み用のスリット４、４ａを設ける。【選択図】図４
0003154410.tif 000002
【実用新案登録請求の範囲】
【請求項１】
横長四角形から成る紙製カバーシートの上下縁より少し内側に内向きに折り畳むための内向き折り畳み手段を設けると共に前記カバーシートの左右端縁から少し内側に前記折り畳み手段に上下端を可及的に接近させて表表紙と裏表紙をそれぞれ差し込むためのスリットを形成して成るブックカバー。
【請求項２】
本の縦幅に合わせた横長四角形の布又は合成皮革又は本革から成るカバーシートの左右両端に近い位置に本の表表紙と裏表紙をそれぞれ差し込むためのスリットを形成すると共にカバーシートの内面の中央に縦方向に折り畳み手段を形成して成るブックカバー。
【請求項３】
請求項１又は２に記載のブックカバーにおいて、前記折り畳み手段は、線又は点線状に形成した薄肉部から成ることを特徴とするブックカバー。
【請求項４】
請求項１〜３の何れか１項に記載のブックカバーにおいて、左右の折り畳み部の内側にこの折り畳み部を接着して固定するための接着手段を設けて成ることを特徴とするブックカバー。
【請求項５】
請求項１〜４の何れか１項に記載のブックカバーにおいて、本の背表紙又は表表紙に当る部分に、少くとも本のタイトルを透視できる窓を設けて成ることを特徴とするブックカバー。
【考案の詳細な説明】
【技術分野】
【０００１】
本考案は、ブックカバーに関し、更に詳しくは、装着が簡単で外れにくく、かつ本の表紙を傷めないブックカバーに関する。
【背景技術】
【０００２】
従来のブックカバーであって、店頭で装着してくれるものの場合、一枚の紙の上下を内側に折り畳んで本の縦幅に合わせると共にこの左右を内側に折り畳んで表表紙と背表紙及び裏表紙の横幅に合わせたのち、この左右の折り畳みの部分に表表紙と裏表紙の先を差し込んで装着する方式のものが一般的である。
【０００３】
しかし、この装着方式は、購入した本にだけ使用されるものであって、一般には使い捨てとなり、また、表紙からブックカバーが外れ易いという欠点がある。
【０００４】
また、上記ブックカバーの場合、購入者の希望する絵柄と云うよりも、ブックセンターの店名とかブックセンターの絵柄が用いられていて、個性に乏しいと共に使い捨て方式は省資源の立場からは賛同できない。
【０００５】
その他、市販のブックカバーとして、実用新案登録第３０８４７５８号公報には、本の厚みが変わってもそれに対応して良好にカバーを行うことができ、装着作業が容易、簡単で取り外しも容易にできるブックカバーとして、本２０の表表紙２１から背表紙２２を経て裏表紙２３までを被うブックカバーであって、本体シート１０の裏面の一端側に表表紙２１と裏表紙２３の何れか一方を挿入させるための表紙差込用ポケット部１１を、該シート１０の裏面の途中位置に他方の表紙を挿通させるための表紙挿通用帯部１２を設け、本体シート１０の他端側には他方の表紙を越える部分を表紙の裏側へ折り曲げて表紙挿通用帯部１２に差し込み、係止するための折り曲げ用余剰部１３を設け、且つ表紙挿通用帯部１２と折り曲げ用余剰部１３との間の本体シート１０に、折り曲げ用余剰部１３の折り曲げを容易にする折り曲げ補助手段１４を設けた内容のものが紹介されている。
【０００６】
しかし、この公知例のブックカバーの場合、カバーに折り曲げ補助手段を設けたり、表紙挿通用帯部を設けたりしていることから、製作に手間とコストがかかり、また本の大きさに対してカバーのサイズはそれぞれ適合させる必要があり、カバーの種類が多くなるという問題がある。
【先行技術文献】
【特許文献】
【０００７】
【非特許文献１】実用新案登録第３０８４７５８号公報
【考案の概要】
【考案が解決しようとする課題】
【０００８】
本考案は叙上の如き問題に鑑みて提供されるものであって、その目的は、装着がしやすく、実用においては外れにくく、同一の大きさの本に対しては使い廻しが利き、個人の個性に合わせた絵柄や色彩を選択して使用でき、極めてシンプルな構造のために安価に提供できるブックカバーを提供することである。
【課題を解決するための手段】
【０００９】
上記目的を達成する手段として、請求項１に記載のブックカバーは、横長四角形から成る紙製カバーシートの上下縁より少し内側に内向きに折り畳むための内向き折り畳み手段を設けると共に前記カバーシートの左右端縁から少し内側に前記折り畳み手段に上下端を可及的に接近させて表表紙と裏表紙をそれぞれ差し込むためのスリットを形成して成ること、を特徴とするものである。
【００１０】
更に、請求項２に記載のブックカバーは、本の縦幅に合わせた横長四角形の布又は合成皮革又は本革から成るカバーシートの左右両端に近い位置に本の表表紙と裏表紙をそれぞれ差し込むためのスリットを形成すると共にカバーシートの内面の中央に縦方向に折り畳み手段を形成して成ること、を特徴とするものである。
【００１１】
更に、請求項３に記載のブックカバーは、請求項１又は２に記載のブックカバーにおいて、前記折り畳み手段は、線又は点線状に形成した薄肉部から成ることを特徴とするものである。
【００１２】
更に、請求項４に記載のブックカバーは、請求項１〜３の何れか１項に記載のブックカバーにおいて、左右の折り畳み部の内側にこの折り畳み部を接着して固定するための接着手段を設けて成ることを特徴とするものである。
【００１３】
更に、請求項５に記載のブックカバーは、請求項１〜４の何れか１項に記載のブックカバーにおいて、本の背表紙又は表表紙に当る部分に、少くとも本のタイトルを透視できる窓を設けて成ることを特徴とするものである。
【考案の効果】
【００１４】
請求項１に記載のブックカバーによると、ブックカバーは、上下端縁が一定の幅で内側に折り畳まれて二重構造となっているため、特に損傷しやすい本の表紙の上下縁を保護することができる効果がある。
【００１５】
また、本考案のブックカバーは、本の大きさに合わせてその両サイド側を内側に折り畳み、この折り畳まれたところに露出したスリットから内部へ表紙の先を挿し込むことにより本に装着するため、装着が簡単であると共に一旦装着したあとはしっかりと本をカバーして外れにくい効果がある。
【００１６】
次に、請求項２に記載のブックカバーは、布又は合成皮革、又は本革の質感がブックカバー及び本自体の高級感を演出し、更に素材の耐久性の特徴により使い廻しができるため、省資源に寄与することができる効果がある。
【００１７】
次に、請求項３に記載のブックカバーは、本の大きさに合わせて折り畳み易いと共に折り目が奇麗に出て体裁が良くなる効果がある。
【００１８】
次に、請求項１〜３に記載のブックカバーは、所有者の好みに合わせて任意の絵柄や色彩を施すことにより、他のブックカバーとの差別化や本の区別化を図ることができる効果がある。
【００１９】
次に、請求項４に記載のブックカバーは、左右の折り畳み部を内側に接着固定できるため、表紙とカバーが密着して表紙からカバーが浮いたりせず体裁が良く、また表紙を傷めない効果がある。
【００２０】
次に、請求項５に記載のブックカバーは、本のタイトルがブックカバーの外から目視できるため、便利である。
【００２１】
次に、請求項１〜４に記載のブックカバーは、構造がシンプルのため、安価に提供できると共に使い廻しもできるために、省資源化にも寄与できる効果がある。
【図面の簡単な説明】
【００２２】
【図１】請求項１に記載した紙製ブックカバーの展開説明図である。
【図２】カバーシートの上下端に形成した折り畳み手段に沿って上下縁側を折り畳んでいる状態の説明図である。
【図３】カバーシートの左右両端側を折り畳み手段に沿って内側に折り畳んでいる状態の説明図である。
【図４】本考案のブックカバーを本に装着している状態の説明図である。
【図５】請求項２に記載した革製ブックカバーを展開した状態の説明図である。
【図６】革製ブックカバーにおいて、その左右両端側を本の大きさに合わせて折り畳んでいる状態の説明図である。
【図７】ブックカバーの折り畳み部の内側に接着手段を設けた状態の説明図である。
【図８】ブックカバーの折り畳み部の内側に沿って接着手段を設けた状態の説明図である。
【図９】背表紙のタイトル部分を透視できるように窓を形成して成るブックカバーの説明図である。
【考案を実施するための最良の形態】
【００２３】
本考案に係るブックカバーは、簡単に装着することができると共に体裁が良く、また所有者の感性に合わせた絵柄や色彩を用いることにより、戸外で携帯するときに個性を発揮することができるように工夫されている。
【００２４】
また、使い廻しができるようにすることで、省資源化に寄与し、更に廃棄物の減少にも寄与することができるように工夫されている。
【００２５】
ブックカバーの材質は、紙、布、合成皮革、本革であって、一枚のシート状のものをカッティング及び型押しにより大量に生産することができる。
【実施例１】
【００２６】
請求項１及び３に記載した本考案の実施例を図１〜図４に基づいて詳細に説明する。図１は紙製のブックカバーを展開した状態を示し、図２は上下縁に沿って一定の幅折り畳んでいる状態を示し、図３は左右両端側を本の大きさに合わせて折り畳んでいる状態を示し、図４は本考案に係るブックカバーを本に装着した状態を示すものである。
【００２７】
これらの図１〜４において、符号の１は１枚の紙製カバーシートであって、このカバーシート１は、横長四角形を呈しており、この上下縁の内側には、本の縦幅と同一か、やや大き目となる位置に折り畳み手段（薄肉部）２、２ａが一直線状に形成されていて、この折り畳み手段２、２ａの外側は折り畳み片３、３ａとなっている。
【００２８】
４、４ａは前記カバーシート１において、その左右両端に近い位置に形成された縦線状のスリットであって、このスリット４、４ａの上下両端部は前記折り畳み手段２、２ａに可及的に接近させてある。
【００２９】
上記構成のブックカバーを本に装着する場合には、図３に示すように折り畳み手段２、２ａに沿って折り畳み片３、３ａを内側に折り畳み、次にこの状態の紙シート１の左右両端側を本の大きさに合わせて内側に折り返す。
【００３０】
その上で、図４に示すように本６の背表紙６ａをブックカバーの中央に置き、表表紙７をスリット４ａから内部に差し込み、裏表紙７ａをスリット４から内部に差し込むことにより本６にカバーをかける。
【００３１】
カバーを外す場合には、本６の表表紙７と裏表紙７ａをスリット４、４ａから抜くだけで良い。
【実施例２】
【００３２】
本実施例２は、請求項２、３に記載したブックカバーに関するもので、図５、図６にその具体例を示す。図５は本皮製のカバーシート１０を示し、図６は本に装着する前の状態を示すものである。
【００３３】
この皮製のブックカバーは、本６の大きさに合わせた縦幅の横長四角形を呈し、その内面中央に複数の折り畳み手段（薄肉部）１２を設けると共に本６を開いたときの表表紙７と裏表紙７ａの横幅のところに折り畳み手段（薄肉部）１３、１３ａを設け、この折り畳み手段１３、１３ａの外側に縦幅（上下縁）にその上下端を可及的に接近させてスリット１１、１１ａを設けた構成である。
【００３４】
このブックカバーを本６に装着する図は図４に示した紙製のブックカバーの場合と同じである。
【００３５】
紙製のブックカバー以外の場合、材質的には強靭なため、折り畳み片３、３ａは不要である。
【００３６】
以上に説明した実施例１、２において、ブックカバーに対する絵柄や色彩の印刷やプリントは任意である。
【実施例３】
【００３７】
本実施例３は、請求項４に記載の考案に対応するもので、図７は実施例１のブックカバー１の折り畳み部５、５ａの内面に接着手段２０を設けた例、図８は実施例２のブックカバー１０の折り畳み部１３、１３ａの内面の先端に接着手段２０を設けた例であって、この接着手段２０により折り畳み部を固定することにより、表紙が浮き上がったり、外れ易くなるのを防ぐことができる。
【００３８】
ここにおいて、接着手段２０は両面粘着テープ、感圧接着剤、マイクロ吸盤テープ等を用いることができる。
【実施例４】
【００３９】
本実施例４は、請求項５に記載の考案に対応するもので、本６の背表紙６ａのタイトルに相当する部分に透明な窓３０を設けることにより、本棚等において目的の本を直ぐに探すことができる特徴を有する。
【００４０】
なお、背表紙６ａの部分に併せて、又は単独で表紙７のタイトル部分に窓３０を設けても良い。
【００４１】
窓３０は、切り抜き又はこの切り抜きに透明な樹脂フィルムを貼り合わせた構造とする。
【産業上の利用可能性】
【００４２】
１．ブックカバー
２．ノート・バインダー用カバー
３．日記帳・手帳カバー
４．家計簿
【図１】
0003154410.tif 000003
【図２】
0003154410.tif 000004
【図３】
0003154410.tif 000005
【図４】
0003154410.tif 000006
【図５】
0003154410.tif 000007
【図６】
0003154410.tif 000008
【図７】
0003154410.tif 000009
【図８】
0003154410.tif 000010
【図９】
0003154410.tif 000011